(57)【要約】【課題】部品点数を低減して構造の簡素化を図り、容易に押下時のがたつきを抑制する。【解決手段】押下部材５の頂壁部１５において弁部材４の後端部４ａに上方から対向する部分には、下方に向けて摺接凸片１８が突設され、弁部材４の後端部４ａに第１摺接面４ｄが形成されるとともに、摺接凸片１８には第１摺接面４ｄに当接する第２摺接面１８ａが形成され、これらの両摺接面４ｄ、１８ａは、前方から後方に向かうに従い上方に向けて傾斜し、弁部材４を前方付勢する第１付勢部材２０は、上下方向に沿って延設された状態で弁部材４の後端部４ａに連結されるとともに、押下部材５を押下して第１摺接面４ｄと第２摺接面１８ａとを摺接させることで弁部材４を後退移動させたときに、後方に向けて弾性的に撓み変形させられる。【選択図】図１
2010104941.tif 000002
【特許請求の範囲】
【請求項１】
上方付勢状態で押込み可能にステムを起立した吐出器に装着される押下ヘッドであって、
前端のノズル孔を通して内部が外部に連通可能とされたノズル筒部材、前記ステム内とノズル筒部材内とを連通させる連通筒部材、およびこの連通筒部材を径方向外側から囲う規制筒部材を備えるヘッド本体と、
前記ノズル筒部材内に前方付勢状態で前後動可能に設けられ前記ノズル孔を開閉させる弁部材と、
前記ノズル筒部材を上方から覆う頂壁部、およびこの頂壁部に下方に向けて延設され前記規制筒部材と連係することで径方向の移動が規制された案内壁部を備えるとともに、前記ヘッド本体に対して上下動可能に配設された押下部材と、が設けられ、
前記弁部材は前後方向に沿って延びる棒状に形成されるとともに、その後端部は前記ノズル筒部材から後方に突出し、
前記押下部材の頂壁部において前記弁部材の後端部に上方から対向する部分には、下方に向けて摺接凸片が突設され、
前記弁部材の後端部に第１摺接面が形成されるとともに、前記摺接凸片には前記第１摺接面に当接する第２摺接面が形成され、これらの両摺接面は、前方から後方に向かうに従い上方に向けて傾斜し、
前記弁部材を前方付勢する第１付勢部材は、上下方向に沿って延設された状態で前記弁部材の後端部に連結されるとともに、前記押下部材を押下して第１摺接面と第２摺接面とを摺接させることで前記弁部材を後退移動させたときに、後方に向けて弾性的に撓み変形させられることを特徴とする押下ヘッド。
【請求項２】
請求項１記載の押下ヘッドにおいて、
前記押下部材の頂壁部と前記ヘッド本体のノズル筒部材との間には、前記押下部材をヘッド本体に対して上方付勢する第２付勢部材が備えられ、この第２付勢部材は、前記押下部材若しくはヘッド本体と一体に形成されていることを特徴とする押下ヘッド。
【請求項３】
請求項１または２に記載の押下ヘッドにおいて、
前記第１付勢部材は、正面視形状が下方に向けて開口する逆Ｕ字状となるように屈曲された線材とされるとともに、その下端部が前記連通筒部材に固定され、かつ上端部内に前記弁部材の後端部が嵌合されていることを特徴とする押下ヘッド。
【発明の詳細な説明】
【技術分野】
【０００１】
本発明は、上方付勢状態で押込み可能にステムを起立した吐出器に装着する押下ヘッドに関するものである。
【背景技術】
【０００２】
この種の押下ヘッドとして、例えば下記特許文献１に示されるような、頂壁部、この頂壁部の外周縁部から下方に向けて延設された周壁部、およびノズル孔を備えるとともに、内部に吐出器のステム内に連通しかつノズル孔を介して外部に連通可能な弁室が画成されたヘッド本体と、天壁部、およびこの天壁部の下面から下方に向けて延設されてステムに嵌合された装着筒を備える装着筒部材と、が備えられた構成が知られている。
弁室には、前方付勢状態で前記ノズル孔を閉塞する弁部材が設けられている。この弁部材の後端部には、下方に向かうに従い前方に向けて屈曲させられてその下端部が前記天壁部上に配置され、かつ装着筒部材に対するヘッド本体の押下時に弁部材を後退移動させるように揺動可能に支持された梃子部材が連結されている。
以上の構成において、ヘッド本体の頂壁部を押圧すると、梃子部材の下端部が装着筒部材の天壁部により押し上げられて、梃子部材はその上端部が後方へ移動させられるように揺動する。これにより、弁部材が梃子部材の上端部とともに後方へ移動させられてノズル孔が開口する。
【特許文献１】特開２００２−３２６０４４号公報
【発明の開示】
【発明が解決しようとする課題】
【０００３】
しかしながら、前記従来の押下ヘッドでは、ノズル孔を開閉させるための部品として、例えば装着筒部材や梃子部材等が設けられており、しかもこれらの部品を連動させる必要もあり、部品点数が多く構造が複雑であるという問題があった。
また、例えば、梃子部材の下端部と装着筒部材の天壁部との間、梃子部材の上端部と弁部材の後端部との間、あるいは梃子部材を前述のように揺動可能に支持する支持部等に、押下時にがたつきが生じるおそれがあるため、設計の難易度が高いという問題もあった。
【０００４】
本発明は、このような事情を考慮してなされたもので、部品点数を低減して構造の簡素化を図り、容易に押下時のがたつきを抑制することができる押下ヘッドを提供することを目的とする。
【課題を解決するための手段】
【０００５】
上記課題を解決して、このような目的を達成するために、本発明の押下ヘッドは、上方付勢状態で押込み可能にステムを起立した吐出器に装着される押下ヘッドであって、前端のノズル孔を通して内部が外部に連通可能とされたノズル筒部材、前記ステム内とノズル筒部材内とを連通させる連通筒部材、およびこの連通筒部材を径方向外側から囲う規制筒部材を備えるヘッド本体と、前記ノズル筒部材内に前方付勢状態で前後動可能に設けられ前記ノズル孔を開閉させる弁部材と、前記ノズル筒部材を上方から覆う頂壁部、およびこの頂壁部に下方に向けて延設され前記規制筒部材と連係することで径方向の移動が規制された案内壁部を備えるとともに、前記ヘッド本体に対して上下動可能に配設された押下部材と、が設けられ、前記弁部材は前後方向に沿って延びる棒状に形成されるとともに、その後端部は前記ノズル筒部材から後方に突出し、前記押下部材の頂壁部において前記弁部材の後端部に上方から対向する部分には、下方に向けて摺接凸片が突設され、前記弁部材の後端部に第１摺接面が形成されるとともに、前記摺接凸片には前記第１摺接面に当接する第２摺接面が形成され、これらの両摺接面は、前方から後方に向かうに従い上方に向けて傾斜し、前記弁部材を前方付勢する第１付勢部材は、上下方向に沿って延設された状態で前記弁部材の後端部に連結されるとともに、前記押下部材を押下して第１摺接面と第２摺接面とを摺接させることで前記弁部材を後退移動させたときに、後方に向けて弾性的に撓み変形させられることを特徴とする。
【０００６】
この発明では、押下部材を押下すると、押下部材が、ヘッド本体の規制筒部材により径方向の移動が規制された状態で、前記摺動凸片の第２摺接面を介して弁部材の第１摺接面上を下方に向けて摺動する。そして、押下部材に加えた押下力が第１摺接面および第２摺接面を介して弁部材に伝達され、この弁部材が第１付勢部材による前方付勢力に抗して後方に移動させられてノズル孔が開口する。その後さらに、押下部材を押下していくと、この押下部材がヘッド本体とともに下方に向けて押し下げられることにより、ステムも押し下げられ、内容物がステム内、連通筒部材内、およびノズル筒部材内をこの順に通過して、ノズル孔に到達して外部に吐出される。そして、押下部材の押下を解除すると、ステムが上方に復元移動し、かつ第１付勢部材の前方付勢力によって弁部材が第１摺接面を介して押下部材の前記第２摺接面上を摺動することで、押下部材が上方に復元移動させられつつ弁部材が前方に復元移動させられてノズル孔を閉塞する。
このように、弁部材を後方に移動させてノズル孔を開口するときに、押下部材に加えた押下力を、例えば前記従来の押下ヘッドのように装着筒部材および梃子部材等を介することなく、前述の両摺接面を介して直接、弁部材に伝達することが可能になり、部品点数を低減して構造の簡素化を図り、容易に押下時のがたつきを抑制することができる。
また、前記第１摺接面が、弁部材においてノズル筒部材から後方に突出した後端部に形成されて、ステムからノズル孔に至る内容物の通路の外側に位置しているので、内容物の液密性を容易に確保することができる。
さらに、第１付勢部材が上下方向に沿って延設された状態で弁部材の後端部に連結されているので、弁部材の構造の簡素化、およびこの押下ヘッドの前後方向のコンパクト化を図りつつ、内容物の通路の液密性を確実に確保することができる。
なお、ノズル筒部材、連通筒部材および規制筒部材を備えるヘッド本体が一体に形成された場合には、部品点数の低減および構造の簡素化をより一層実現することができる。
【０００７】
ここで、前記押下部材の頂壁部と前記ヘッド本体のノズル筒部材との間には、前記押下部材をヘッド本体に対して上方付勢する第２付勢部材が備えられ、この第２付勢部材は、前記押下部材若しくはヘッド本体と一体に形成されてもよい。
この場合、第２付勢部材が設けられているので、押下部材の押下を解除したときに、押下部材および弁部材を確実に復元移動させることが可能になる。また、この第２付勢部材が押下部材若しくはヘッド本体と一体に形成されているので、部品点数の低減および構造の簡素化をより一層確実に実現することができる。
【０００８】
また、前記第１付勢部材は、正面視形状が下方に向けて開口する逆Ｕ字状となるように屈曲された線材とされるとともに、その下端部が前記連通筒部材に固定され、かつ上端部内に前記弁部材の後端部が嵌合されてもよい。
この場合、前述の作用効果が確実に奏されるとともに、第１付勢部材を容易に組付けることができる。
【発明の効果】
【０００９】
この発明に係る押下ヘッドによれば、部品点数を低減して構造の簡素化を図り、容易に押下時のがたつきを抑制することができる。
【発明を実施するための最良の形態】
【００１０】
以下、図面を参照し、この発明の実施の形態について説明する。
なお、本実施形態では、吐出器２からみて押下ヘッド１側（図１における上側）を上方とし、その反対側（図１における下側）を下方とする。また、後述するノズル筒部材１２においてノズル孔１１が形成された先端側（図１における左側）を前方とし、その反対側（図１における右側）を後方とする。
この実施形態に係る押下ヘッド１は、上方付勢状態で押込み可能にステム２ａを起立した吐出器２に装着されるものであって、前端のノズル孔１１を通して内部が外部に連通可能とされたノズル筒部材１２、ステム２ａ内とノズル筒部材１２内とを連通させる連通筒部材１３、およびこの連通筒部材１３を径方向外側から囲う規制筒部材１４を備えるヘッド本体３と、ノズル筒部材１２内に前方付勢状態で前後動可能に設けられノズル孔１１を開閉させる弁部材４と、ノズル筒部材１２を上方から覆う頂壁部１５、およびこの頂壁部１５に下方に向けて延設され規制筒部材１４と連係することで径方向の移動が規制された案内壁部１６を備えるとともに、ヘッド本体３に対して上下動可能に配設された押下部材５と、を備えている。
【００１１】
ここで、ステム２ａ、連通筒部材１３および規制筒部材１４は上下方向に沿って延びる共通軸上に配設されている。以下、この共通軸を軸Ｏという。
ヘッド本体３のノズル筒部材１２は、前後方向に沿って延在し両端が開口した筒状に形成されている。ノズル筒部材１２の内周面には、前後方向に沿って延びる凸リブ１２ａが周方向に間隔をあけて複数突設されている。図示の例では、凸リブ１２ａはノズル筒部材１２の前側部分における内周面に設けられている。
【００１２】
ヘッド本体３の連通筒部材１３は、ノズル筒部材１２の後端部に下方に向けて延設されている。連通筒部材１３の上端開口縁における後側部分は、径方向内側に向けて張り出す張り出し部１３ａを介してノズル筒部材１２に連結されている。また、本実施形態では、連通筒部材１３の下端部における後側には、その外周面との間に前後方向の隙間をあけた状態で収納片１３ｂが配設されている。この収納片１３ｂおよび連通筒部材１３それぞれの下端が、連結片１３ｃにより連結されている。
【００１３】
ヘッド本体３の規制筒部材１４は、その上端開口縁における前端部分がノズル筒部材１２の下面に連結され、連通筒部材１３を径方向外側から囲繞している。また、規制筒部材１４の上端部には径方向内方に向けて第１係合凸部１４ａが突設されている。さらに図示の例では、規制筒部材１４の上端開口縁における後側部分、および連通筒部材１３の張り出し部１３ａそれぞれの上下方向に沿った位置は互いに一致している。そして、ノズル筒部材１２の後端開口部は、ヘッド本体３において後方に開放されている。
本実施形態では、ノズル筒部材１２、連通筒部材１３および規制筒部材１４は一体に形成されている。
【００１４】
弁部材４は前後方向に沿って延びる棒状に形成されるとともに、その後端部４ａはノズル筒部材１２から後方に突出している。弁部材４においてノズル筒部材１２内に位置する前側部分４ｂの後端部における外周面には、後方から前方に向かうに従い漸次拡径されたシール筒部４ｃが突設されている。また、弁部材４の後端部４ａにおいて、上下および前後双方向に対して直交する左右方向の両端部には、前方から後方に向かうに従い上方に向けて傾斜した第１摺接面４ｄが各別に形成されている。さらに、弁部材４の前側部分４ｂは、ノズル筒部材１２内に複数の凸リブ１２ａにより径方向外側から支持された状態で配設されている。
【００１５】
押下部材５の案内壁部１６は、ヘッド本体３の規制筒部材１４内に挿入されるとともに、筒状体が前記軸Ｏ回りに沿って二つに等分割されてなる一対の周壁により構成され、前記軸Ｏを径方向で挟んだ前記左右方向の両側に配設されている。そして、これらの案内壁部１６の両周端縁のうち、前側に位置する前側周端縁同士の間の隙間にノズル筒部材１２が配置され、後側に位置する後側周端縁同士の間に弁部材４の後端部４ａが位置している。また、案内壁部１６の下端部には径方向外方に向けて第２係合凸部１６ａが突設されている。
【００１６】
また本実施形態では、押下部材５の頂壁部１５において弁部材４の第１摺接面４ｄに上方から対向する部分には、下方に向けて摺接凸片１８が突設されている。なお図示の例では、摺接凸片１８は、頂壁部１５において両案内壁部１６の後側周端縁同士の間に位置する部分に設けられている。そして、各摺接凸片１８の下端面が、前方から後方に向かうに従い上方に向けて傾斜した第２摺接面１８ａとなっており、第１摺接面４ｄに当接している。また、これらの両摺接面４ｄ、１８ａは互いに平行となっている。
【００１７】
なお図示の例では、頂壁部１５の外周縁部には、案内壁部１６を径方向外側から囲繞する外筒１９が下方に向けて延設されている。この外筒１９の前端部には、上下方向に沿って延びるスリット１９ａが形成されており、このスリット１９ａを通して、ヘッド本体３のノズル筒部材１２の前側部分が外筒１９から径方向外側に突出している。また、外筒１９は、ヘッド本体３における規制筒部材１４の上部を径方向外側から囲繞している。
【００１８】
弁部材４を前方付勢する第１付勢部材２０は、上下方向に沿って延設された状態で弁部材４の後端部４ａに連結されている。本実施形態では、第１付勢部材２０は、正面視形状が下方に向けて開口する逆Ｕ字状となるように屈曲された線材とされ、その下端部が連通筒部材１３の下端部における外周面と収納片１３ｂとの間に差し込まれて固定され、かつ上端部内に弁部材４の後端部４ａが嵌合されている。また、図示の例では、第１付勢部材２０は、連通筒部材１３の外周面に沿って上下方向に延びる下側部分２０ａと、下側部分２０ａよりも前側に配置され上下方向に延びる上側部分２０ｂと、下方から上方に向かうに従い漸次前方に向けて延在し下側部分２０ａと上側部分２０ｂとを連結する中間部分２０ｃと、を備えている。
【００１９】
さらに本実施形態では、押下部材５の頂壁部１５とノズル筒部材１２との間に、押下部材５を上方付勢する第２付勢部材２１が備えられ、この第２付勢部材２１は、ノズル筒部材１２と一体に形成されている。図示の例では、第２付勢部材２１は、ノズル筒部材１２の上面に突設され、前方から後方に向かうに従い漸次上方に向けて延びる板材となっている。また、押下部材５の前記第２係合凸部１６ａが、ヘッド本体３の前記第１係合凸部１４ａに下側から係合することで、押下部材５は、規制筒部材１４からの上側へ向けた離脱が防止された状態で第２付勢部材２１により上方付勢されている。
【００２０】
ここで、吐出器２は、装着キャップ２２とポンプ本体２３とを備えている。
装着キャップ２２は、図示されない容器体の口部に螺着される内筒部２２ａと、この内筒部２２ａを径方向外側から囲繞する外筒部２２ｂと、ポンプ本体２３の後述するシリンダ２３ａの上端開口部が装着される折り返し部２２ｃと、を備えている。
外筒部２２ｂは、上側に位置する小径筒部２２ｄと、小径筒部２２ｄと同軸に配設されるとともに下側に位置する大径筒部２２ｅと、これらの両筒部２２ｄ、２２ｅを連結するフランジ部２２ｆと、を備えている。なお、フランジ部２２ｆは、小径筒部２２ｄの下端と大径筒部２２ｅの上端とを連結している。
内筒部２２ａは、外筒部２２ｂのフランジ部２２ｆの下面に下方に向けて延設されている。
折り返し部２２ｃは、外筒部２２ｂの小径筒部２２ｄの径方向内側に位置する外周壁と、外周壁の径方向内側に位置する内周壁と、外周壁および内周壁それぞれの上端を連結する上壁と、を備え、縦断面視逆Ｕ字状に形成されている。
【００２１】
ポンプ本体２３は、上端開口部が折り返し部２２ｃに差し込まれたシリンダ２３ａと、シリンダ２３ａの径方向内側に上下動可能に配設されたステム２ａと、シリンダ２３ａ内に配設され、ステム２ａの上下動に伴って上下動させられるピストン２３ｂと、その他ステム２ａを上方付勢する図示されないコイルスプリングや弁体等と、を備えている。
ステム２ａの上端部は、折り返し部２２ｃよりも上方に位置し、ヘッド本体３の連通筒部材１３内に嵌合されている。
本実施形態では、弁部材４を後方に移動させてノズル孔１１を開口させるのに要する押下部材５への押下力が、ステム２ａの上方付勢力よりも小さくなっている。なお、このような押下部材５への押下力とステム２ａの上方付勢力との関係は、例えばステム２ａを上方付勢する前記コイルスプリング、第１付勢部材２０および第２付勢部材２１それぞれのバネ定数、あるいは弁部材４およびノズル筒部材１２の内周面側、並びに第１摺接面４ｄおよび第２摺接面１８ａそれぞれの摩擦係数等を適宜選択することで実現される。
【００２２】
以上の構成において、押下部材５を押下すると、まず、第２付勢部材２１が押下部材５の頂壁部１５により下方に向けて弾性的に撓み変形させられつつ、押下部材５が第２摺接面１８ａを介して弁部材４の第１摺接面４ｄ上を下方に向けて摺動する。このように押下部材５がヘッド本体３に対して下方に移動するときに、ヘッド本体３の規制筒部材１４が押下部材５の径方向の移動を規制しているので、押下部材５に加えた押下力が、第１摺接面４ｄおよび第２摺接面１８ａを介して弁部材４にこの弁部材４を後方に移動させる力として伝達される。これにより、弁部材４が、第１付勢部材２０による前方付勢力に抗してこの第１付勢部材２０を後方に向けて弾性的に撓み変形させつつ、後方に移動させられ、ノズル孔１１が開口する。
【００２３】
その後さらに、押下部材５を押下していくと、この押下部材５がヘッド本体３とともに下方に向けて押し下げられることにより、ステム２ａも押し下げられ、内容物がステム２ａ内、連通筒部材１３内、およびノズル筒部材１２内をこの順に通過して、ノズル孔１１に到達して外部に吐出される。
そして、押下部材５の押下を解除すると、ステム２ａが上方に復元移動し、かつ第１付勢部材２０の前方付勢力および第２付勢部材２１の上方付勢力によって、弁部材４の第１摺接面４ｄと押下部材５の第２摺接面１８ａとが摺接しつつ、押下部材５が上方に復元移動させられるとともに、弁部材４が前方に復元移動させられてノズル孔１１を閉塞する。
なお、以上の過程において、弁部材４のシール筒部４ｃは、ノズル筒部材１２の内周面に液密状態で当接あるいは摺接する。
【００２４】
以上説明したように本実施形態に係る押下ヘッド１によれば、弁部材４を後方に移動させてノズル孔１１を開口するときに、押下部材５に加えた押下力を、例えば前記従来の押下ヘッドのように装着筒部材および梃子部材等を介することなく、前述の両摺接面４ｄ、１８ａを介して直接、弁部材４に伝達することが可能になり、部品点数を低減して構造の簡素化を図り、容易に押下時のがたつきを抑制することができる。
また、第１摺接面４ｄが、弁部材４においてノズル筒部材１２から後方に突出した後端部４ａに形成されて、ステム２ａからノズル孔１１に至る内容物の通路の外側に位置しているので、内容物の液密性を容易に確保することができる。
【００２５】
さらに、第１付勢部材２０が、上下方向に沿って延設された状態で弁部材４の後端部４ａに連結されているので、弁部材４の構造の簡素化、およびこの押下ヘッド１の前後方向のコンパクト化を図りつつ、内容物の通路の液密性を確実に確保することができる。
また、ノズル筒部材１２、連通筒部材１３および規制筒部材１４を備えるヘッド本体３が一体に形成されているので、部品点数の低減および構造の簡素化をより一層実現することができる。
【００２６】
さらに、第２付勢部材２１が設けられているので、押下部材５の押下を解除したときに、押下部材５および弁部材４を確実に復元移動させることが可能になる。また、この第２付勢部材２１がヘッド本体３と一体に形成されているので、部品点数の低減および構造の簡素化をより一層確実に実現することができる。
さらに、第１付勢部材２０が、正面視形状が下方に向けて開口する逆Ｕ字状となるように屈曲された線材とされるとともに、その下端部が連通筒部材１３に固定され、かつ上端部内に弁部材４の後端部４ａが嵌合されているので、前述の作用効果が確実に奏されるとともに、第１付勢部材２０を容易に組付けることができる。
【００２７】
なお、本発明の技術的範囲は前記実施の形態に限定されるものではなく、本発明の趣旨を逸脱しない範囲において種々の変更を加えることが可能である。
例えば前記実施形態では、押下部材５を上方付勢する第２付勢部材２１として、ノズル筒部材１２と一体に形成された構成を示したが、押下部材５の頂壁部１５と一体に形成してもよく、また押下部材５の頂壁部１５およびノズル筒部材１２とは別部材としてもよい。さらに、第２付勢部材２１として、前方から後方に向かうに従い漸次上方に向けて延びる板材を示したが、これに代えて例えば、上下方向に螺旋をなして延びるスプリング状に形成してもよい。また、第２付勢部材２１は設けなくてもよい。
さらに、押下ヘッド１を装着する吐出器としては、前記実施形態で示した構成に限らず、例えばエアゾール式の吐出器等を採用してもよい。
また、前記実施形態では、押下部材５の案内壁部１６をヘッド本体３の規制筒部材１４内に挿入したが、案内壁部１６を規制筒部材１４の径方向外側に位置させてもよい。
さらに、第１付勢部材２１は、前記実施形態に限らず例えば板材を採用する等、適宜変更してもよい。
その他、本発明の主旨を逸脱しない範囲で、上記した実施の形態における構成要素を周知の構成要素に置き換えることは適宜可能であり、また、上記した変形例を適宜組み合わせてもよい。
【産業上の利用可能性】
【００２８】
部品点数を低減して構造の簡素化を図り、容易に押下時のがたつきを抑制することができる。
【図面の簡単な説明】
【００２９】
【図１】本発明に係る一実施形態として示した押下ヘッドの概略縦断面図である。
【図２】図１に示す押下ヘッドの概略横断面図である。
【図３】図１および図２の押下ヘッドにおいて押下部材を押し下げた状態を示す概略縦断面図である。
【図４】図３に示す押下ヘッドの概略横断面図である。
【符号の説明】
【００３０】
１  押下ヘッド
２  吐出器
２ａ  ステム
３  ヘッド本体
４  弁部材
４ａ  弁部材の後端部
４ｄ  第１摺接面
５  押下部材
１１  ノズル孔
１２  ノズル筒部材
１３  連通筒部材
１４  規制筒部材
１５  頂壁部
１６  案内壁部
１８  摺接凸片
１８ａ  第２摺接面
２０  第１付勢部材
２１  第２付勢部材
【図１】
2010104941.tif 000003
【図２】
2010104941.tif 000004
【図３】
2010104941.tif 000005
【図４】
2010104941.tif 000006